(57)【要約】  無線通信システム（１）は、移動局（２００）、及び移動局（２００）をページングするためにページングメッセージを送信する上位ネットワーク（１０）を含む。当該ページングメッセージは、移動局（２００）が当該ページングメッセージの受信に応答して外部ネットワーク（９）との間の通信を開始するタイミングを規定する第１の情報を含む。これにより、例えば、上位ネットワーク（１０）は、待ち受け状態の移動局（２００）が外部ネットワーク（９）との間の通信を開始するタイミングを制御できる。
2013014847.tif 000002
【特許請求の範囲】
【請求項１】
移動局、及び前記移動局をページングするためにページングメッセージを送信する上位ネットワークを備え、
前記ページングメッセージは、前記移動局が前記ページングメッセージの受信に応答して外部ネットワークとの間の通信を開始するタイミングを規定する第１の情報を含む、
無線通信システム。
【請求項２】
前記移動局は、前記外部ネットワークとの間の通信を行うためのシグナリングの実行を前記第１の情報に基づいて遅延させる、請求項１に記載の無線通信システム。
【請求項３】
前記移動局は、前記ページングメッセージを受信してから前記外部ネットワークとの間の通信を行うためのシグナリングを実行するまでの時間を前記第１の情報に基づいて変更する、請求項１又は２に記載の無線通信システム。
【請求項４】
前記上位ネットワークは、前記移動局に転送すべき下りデータが前記外部ネットワークから到着したことを条件とすることなく、前記移動局と前記外部ネットワークとの間の通信を自発的に起動するために前記ページングメッセージを送信する、請求項１〜３のいずれか１項に記載の無線通信システム。
【請求項５】
前記上位ネットワークは、前記移動局に転送すべき下りデータが前記外部ネットワークから到着したことに応じて前記ページングメッセージを送信する、請求項１〜３のいずれか１項に記載の無線通信システム。
【請求項６】
前記移動局は、複数の移動局を含み、
前記ページングメッセージは、前記複数の移動局に対応付けられた移動局グループ識別子をさらに含む、
請求項１〜５のいずれか１項に記載の無線通信システム。
【請求項７】
前記第１の情報は、送信待ち時間を特定可能な情報を含み、
前記移動局は、前記ページングメッセージの受信後に前記送信待ち時間を経過したことを条件として前記外部ネットワークとの間の通信のためのシグナリングを実行する、請求項１〜６のいずれか１項に記載の無線通信システム。
【請求項８】
前記第１の情報は、送信開始時刻を特定可能な情報を含み、
前記移動局は、前記送信開始時刻が到来したことを条件として前記外部ネットワークとの間の通信のためのシグナリングを実行する、請請求項１〜６のいずれか１項に記載の無線通信システム。
【請求項９】
前記移動局は、前記外部ネットワークとの通信が開始されるまでの間、前記外部ネットワークへの送信データをバッファする、請求項１〜８のいずれか１項に記載の無線通信システム。
【請求項１０】
前記ページングメッセージは、前記外部ネットワークに対応付けられたアクセスポイント識別子をさらに含み、
前記移動局は、前記アクセスポイント識別子に基づいて前記外部ネットワークへの接続を要求するシグナリングを行う、
請求項１〜９のいずれか１項に記載の無線通信システム。
【請求項１１】
前記上位ネットワークは、
前記ページングメッセージをダウンリンクチャネルを用いて無線送信する基地局と、
前記ページングメッセージの送信を前記基地局に要求する制御ノードと、
を備える、請求項１〜１０のいずれか１項に記載の無線通信システム。
【請求項１２】
無線通信システムにおいて使用される基地局であって、
移動局をページングするためにページングメッセージをダウンリンクチャネルにおいて無線送信する無線通信手段を備え、
前記ページングメッセージは、前記移動局が前記ページングメッセージの受信に応答して外部ネットワークとの間の通信を開始するタイミングを規定する第１の情報を含む、
基地局。
【請求項１３】
前記無線通信システムに含まれる制御ノードから前記ページングメッセージの送信要求を受信する制御インタフェースをさらに備える、請求項１２に記載の基地局。
【請求項１４】
前記無線通信手段は、前記移動局に転送すべき下りデータが前記外部ネットワークから前記無線通信システムに到着したことを条件とすることなく、前記移動局と前記外部ネットワークとの間の通信を自発的に起動するために前記ページングメッセージを送信する、請求項１２又は１３に記載の基地局。
【請求項１５】
前記送信要求は、前記移動局に転送すべき下りデータが前記外部ネットワークから前記無線通信システムに到着したことを条件とすることなく、前記移動局と前記外部ネットワークとの間の通信を自発的に起動するために前記制御ノードから送信される、請求項１３に記載の基地局。
【請求項１６】
前記送信要求は、前記移動局に転送すべき下りデータが前記外部ネットワークから前記無線通信システムに到着したことに応じて前記制御ノードから送信される、請求項１３に記載の基地局。
【請求項１７】
前記移動局は、複数の移動局を含み、
前記ページングメッセージは、前記複数の移動局に対応付けられた移動局グループ識別子をさらに含む、
請求項１２〜１６のいずれか１項に記載の基地局。
【請求項１８】
前記第１の情報は、前記外部ネットワークに対応付けられたアクセスポイント識別子をさらに含む、請求項１２〜１７のいずれか１項に記載の基地局。
【請求項１９】
無線通信システムにおいて使用される制御ノードであって、
移動局をページングするためにページングメッセージの送信を基地局に要求する制御手段を備え、
前記ページングメッセージは、前記移動局が前記ページングメッセージの受信に応答して外部ネットワークとの間の通信を開始するタイミングを規定する第１の情報を含む、
制御ノード。
【請求項２０】
前記制御手段は、前記移動局に転送すべき下りデータが前記外部ネットワークから到着したことを条件とすることなく、前記移動局と前記外部ネットワークとの間の通信を自発的に起動するために前記ページングメッセージの送信を要求する、請求項１９に記載の制御ノード。
【請求項２１】
前記制御手段は、前記移動局に転送すべき下りデータが前記外部ネットワークから到着したことに応じて前記ページングメッセージの送信を要求する、請求項１９に記載の制御ノード。
【請求項２２】
前記移動局は、複数の移動局を含み、
前記ページングメッセージは、前記複数の移動局に対応付けられた移動局グループ識別子をさらに含む、
請求項１９〜２１のいずれか１項に記載の制御ノード。
【請求項２３】
無線通信システムにおいて使用される移動局であって、
基地局から送信されるダウンリンクチャネルを受信する無線通信手段と、
前記ダウンリンクチャネルにおいて送信されるページングメッセージに応答して外部ネットワークとの間の通信を開始する通信制御手段と、
を備え、
前記ページングメッセージは、前記移動局が前記ページングメッセージの受信に応答して前記外部ネットワークとの間の通信を開始するタイミングを規定する第１の情報を含む、
移動局。
【請求項２４】
前記通信制御手段は、前記外部ネットワークとの間の通信を行うためのシグナリングの実行を前記第１の情報に基づいて遅延させる、請求項２３に記載の移動局。
【請求項２５】
前記通信制御手段は、前記ページングメッセージを受信してから前記外部ネットワークとの間の通信を行うためのシグナリングを実行するまでの時間を前記第１の情報に基づいて変更する、請求項２３又は２４に記載の移動局。
【請求項２６】
前記ページングメッセージは、前記移動局に転送すべき下りデータが前記外部ネットワークから前記無線通信システムに到着したことを条件とすることなく、前記移動局と前記外部ネットワークとの間の通信を自発的に起動するために送信される、請求項２３〜２５のいずれか１項に記載の移動局。
【請求項２７】
前記ページングメッセージは、前記移動局に転送すべき下りデータが前記外部ネットワークから前記無線通信システムに到着したことに応じて送信される、請求項２３〜２５のいずれか１項に記載の移動局。
【請求項２８】
前記ページングメッセージは、複数の移動局に対応付けられた移動局グループ識別子をさらに含む、
請求項２３〜２７のいずれか１項に記載の移動局。
【請求項２９】
前記第１の情報は、送信待ち時間を特定可能な情報を含み、
前記通信制御手段は、前記ページングメッセージの受信後に前記送信待ち時間を経過したことを条件として前記外部ネットワークとの間の通信のためのシグナリングを実行する、請求項２３〜２８のいずれか１項に記載の移動局。
【請求項３０】
前記第１の情報は、送信開始時刻を特定可能な情報を含み、
前記移動局は、前記送信開始時刻が到来したことを条件として前記外部ネットワークとの間の通信のためのシグナリングを実行する、請求項２３〜２８のいずれか１項に記載の移動局。
【請求項３１】
前記外部ネットワークとの通信が開始されるまでの間、前記外部ネットワークへの送信データをバッファするバッファ手段をさらに備える、請求項２３〜３０のいずれか１項に記載の移動局。
【請求項３２】
前記ページングメッセージは、前記外部ネットワークに対応付けられたアクセスポイント識別子をさらに含み、
前記通信制御手段は、前記アクセスポイント識別子に基づいて前記外部ネットワークへの接続を要求するシグナリングを行う、
請求項２３〜３１のいずれか１項に記載の移動局。
【請求項３３】
移動局をページングする際に、前記移動局が前記ページングメッセージの受信に応答して外部ネットワークとの間の通信を開始するタイミングを規定する第１の情報を含むページングメッセージを送信すること、
を備えるページング方法。
【請求項３４】
移動局によるページングメッセージの処理方法であって、
基地局からダウンリンクチャネルにおいて送信されるページングメッセージに応答して外部ネットワークとの間の通信を開始すること、
を備え、
前記ページングメッセージは、前記移動局が前記ページングメッセージの受信に応答して前記外部ネットワークとの間の通信を開始するタイミングを規定する第１の情報を含む、
ページングメッセージの処理方法。
【請求項３５】
ページングに関する制御方法をコンピュータに行わせるためのプログラムを格納した非一時的なコンピュータ可読媒体であって、
前記方法は、移動局をページングする際に、前記移動局が前記ページングメッセージの受信に応答して外部ネットワークとの間の通信を開始するタイミングを規定する第１の情報を含むページングメッセージを送信するよう制御することを含む、
非一時的なコンピュータ可読媒体。
【請求項３６】
ページングメッセージの処理方法をコンピュータに行わせるためのプログラムを格納した非一時的なコンピュータ可読媒体であって、
前記方法は、基地局からダウンリンクチャネルにおいて送信されるページングメッセージに応答して外部ネットワークとの間の通信を開始することを含み、
前記ページングメッセージは、前記移動局が前記ページングメッセージの受信に応答して前記外部ネットワークとの間の通信を開始するタイミングを規定する第１の情報を含む、
非一時的なコンピュータ可読媒体。
【発明の詳細な説明】
【技術分野】
【０００１】
本発明は、多元接続方式の無線通信システムにおける移動局のページングに関する。
【背景技術】
【０００２】
多元接続方式の無線通信システムは、時間、周波数、及び送信電力のうち少なくとも１つを含む無線リソースを複数の移動局の間で共有することで、複数の移動局が実質的に同時に無線通信を行うことを可能としている。代表的な多元接続方式は、ＴＤＭＡ（Time Division Multiple Access）、ＦＤＭＡ（Frequency Division Multiple Access）、ＣＤＭＡ（Code Division Multiple Access）、若しくはＯＦＤＭＡ（Orthogonal Frequency Division Multiple Access）又はこれらの組み合わせである。【０００３】
本明細書で用いる無線通信システムの用語は、特に断らない限り多元接続方式の無線通信システムを意味する。無線通信システムは、移動局及び上位ネットワークを含む。上位ネットワークは、基地局、トラフィックを中継する中継ノード、並びに無線リソース管理・モビリティ管理及びベアラ管理などを行う制御ノードを含む。【０００４】
上位ネットワークは、待ち受け状態の移動局に対する新たな下りトラフィック（下りデータ又は音声着信）が外部ネットワークから到着した場合に、移動局に対してページングメッセージを送信する。待ち受け状態の移動局は、ページングメッセージを受信するために間欠受信（Discontinuous Reception（DRX））を行っている。そして、移動局は、自局宛てのページングメッセージを受信したことに応じて、下りトラフィックを受信する通信を行うためのシグナリングを開始する。このシグナリングは、移動局によるシグナリングに対する応答メッセージを含む。応答メッセージは、制御コネクションの確立要求、若しくはユーザーデータ転送用の通信路（ベアラ）の確立のためのサービス要求、若しくはこれら両方を含む。応答メッセージを受信したネットワークは、下りトラフィックを移動局に送信するために必要な制御コネクション及び通信路（ベアラ）を設定するための手順を実行する。【０００５】
例えば、ＷＣＤＭＡ（(Wideband Code Division Multiple Access）のパケット交換ドメインに移動局宛ての着信が発生した場合、ネットワーク内のＲＮＣ（Radio Network Controller）が基地局（NodeB）を経由してページングメッセージを移動局に送信する。待ち受け状態（CELL_PCH状態又はURA_PCH状態）の移動局は、Ｓ−ＣＣＰＣＨ（Secondary Common Control Physical Channel）を用いて伝送されるＰＣＨ（Paging Channel）の中に自局宛てのページングメッセージを検出した場合、ネットワーク（i.e. ＳＧＳＮ（Serving GPRS Support Node）に対してサービス要求（Service Request）を送信する。ネットワークは、Service Requestの受信に応じて、ユーザーデータ送信用の通信路（無線アクセスベアラ）を設定する。ＷＣＤＭＡのパケット交換ドメインにおけるページングメッセージを用いたサービス要求手順は、3GPP（3rd Generation Partnership Project） TS 23.060 V9.9.0の6.12.2章に規定されている。【０００６】
また、ＬＴＥ（Long Term Evolution）の場合、ネットワーク内の基地局（eNodeB）がページングメッセージを移動局に送信する。待ち受け状態（RRC_IDLE（ECM_IDLE）状態）の移動局は、ＰＤＳＣＨ（Physical Downlink Shared Channel）を用いて伝送されるＰＣＨ（Paging Channel）の中に自局宛てのページングメッセージを検出した場合、ネットワーク（i.e. ｅＮｏｄｅＢ）に対して制御コネクションの確立要求（RRC Connection Request）を送信する。ネットワークは、RRC Connection Requestの受信に応じて制御コネクション（RRC Connection）を設定する。その後、移動局は、ネットワーク（i.e. ＭＭＥ（Mobility Management Entity））に対してサービス要求のための制御メッセージ（NAS message Service Request）を送信する。ネットワークは、Service Requestの受信に応じて、ユーザーデータ送信用の通信路（無線アクセスベアラ）を設定する。ＬＴＥにおけるページングメッセージを用いたサービス要求手順は、3GPP（3rd Generation Partnership Project） TS 23.401 V9.9.0の5.3.4.3章に規定されている。【０００７】
ページングメッセージは、通常、移動局の識別子（e.g. ＴＭＳＩ（Temporary Mobile Subscriber Identity）、Ｐ−ＴＭＳＩ（Packet TMSI）、Ｍ−ＴＭＳＩ（MME-TMSI））を含み、１つの移動局を単位として送信される。これに対して、特許文献１は、複数の移動局を含む移動局グループに関して定義された識別子を含むページングメッセージを送信することを開示している。つまり、特許文献１は、移動局グループを単位としたページングを行うことで、移動局毎にページングを行う場合に比べてページングに要するチャネル資源を削減することができる。
【先行技術文献】
【特許文献】
【０００８】
【特許文献１】特開２００４−２２１７５９号公報
【発明の概要】
【発明が解決しようとする課題】
【０００９】
本願の発明者は、Ｍ２Ｍ（machine to machine）ネットワークの通信をＷＣＤＭＡ及びＬＴＥ等の無線通信システムに収容する利用形態について詳細な検討を行った。Ｍ２Ｍネットワークは、センサネットワークとも呼ばれる。Ｍ２Ｍネットワークの通信を無線通信システムに収容する場合、機械（e.g. 自動販売機、ガスメータ、電気メータ、自動車）及びセンサ（e.g. 環境、農業、交通等に関するセンサ）に移動局の機能が配置される。そして、データセンター等の監視拠点に配置された監視システム（i.e. コンピュータ）は、これらの機械及びセンサが所持している情報（e.g. 売上情報、在庫情報、センサの計測情報）を、無線通信システムを経由して収集する。【００１０】
具体的に述べると、監視システムは、送信要求メッセージを含む送信データを機械（又はセンサ）に配置された移動局に割り当てられたアドレス（e.g. 電子メールアドレス、ＩＰアドレス）宛てに送信する。無線通信システムのネットワークは、監視システムからの送信データを受信すると、アドレスに対応する移動局に対してページングを行う。そして、ページングに応答した移動局は、アクティブ状態に遷移して監視システムからの送信データを受信し、送信要求メッセージに従って情報（e.g. 売上情報、在庫情報、センサの計測情報）を送信する。【００１１】
本願の発明者は、Ｍ２Ｍ（machine to machine）ネットワークの通信を無線通信システムに収容する利用形態において以下に述べる問題があることを見出した。Ｍ２Ｍネットワークにおいて多数の機械及びセンサと監視システムとの間の通信が同時に発生すると、監視システムの負荷が増大する。このため、現状では、監視システムが複数の機械及びセンサに対して送信要求メッセージを送信するタイミングをずらすことでＭ２Ｍネットワークに関するトラフィックを平滑化している。これにより、Ｍ２Ｍネットワークの監視システムの負荷増大が回避される。しかしながら、このＭ２Ｍネットワーク毎にトラフィックを平滑化する対策では、無線通信システムのネットワーク負荷を十分に抑制できないおそれがある。なぜなら、無線通信システムは、一般的に複数のＭ２Ｍネットワークに関する通信を収容するためである。Ｍ２Ｍネットワーク毎にトラフィックを平滑化しても、必ずしも無線通信システムのネットワーク負荷が平滑化されるとは限らない。無線通信システムのネットワーク負荷を効果的に低減するためには、待ち受け状態の移動局（e.g. Ｍ２Ｍネットワークに関する機械及びセンサ）が外部ネットワーク（e.g. Ｍ２Ｍネットワークの監視システム）との間の通信を開始するタイミングを、外部ネットワーク及び移動局だけでなく無線通信システム側でも制御できることが望ましい。【００１２】
本件発明の目的の１つは、待ち受け状態の移動局が外部ネットワークとの間の通信を開始するタイミングを制御可能とした無線通信システムを提供することである。また、本件発明の目的の他の１つは、この無線通信システムで利用される基地局、制御ノード、移動局、方法、及びプログラムを提供することである。
【課題を解決するための手段】
【００１３】
第１の態様は、無線通信システムを含む。当該無線通信システムは、移動局、及び前記移動局をページングするためにページングメッセージを送信する上位ネットワークを含む。ここで、前記ページングメッセージは、前記移動局が前記ページングメッセージの受信に応答して外部ネットワークとの間の通信を開始するタイミングを規定する第１の情報を含む。【００１４】
第２の態様は、無線通信システムにおいて使用される基地局を含む。当該基地局は、移動局をページングするためにページングメッセージをダウンリンクチャネルにおいて無線送信する無線通信部を有する。ここで、前記ページングメッセージは、前記移動局が前記ページングメッセージの受信に応答して外部ネットワークとの間の通信を開始するタイミングを規定する第１の情報を含む。【００１５】
第３の態様は、無線通信システムにおいて使用される制御ノードを含む。当該制御ノードは、移動局をページングするためにページングメッセージの送信を基地局に要求する制御部を有する。ここで、前記ページングメッセージは、前記移動局が前記ページングメッセージの受信に応答して外部ネットワークとの間の通信を開始するタイミングを規定する第１の情報を含む。【００１６】
第４の態様は、無線通信システムにおいて使用される移動局を含む。当該移動局は、無線通信部及び通信制御部を含む。前記無線通信部は、基地局から送信されるダウンリンクチャネルを受信する。前記通信制御部は、前記ダウンリンクチャネルにおいて送信されるページングメッセージに応答して外部ネットワークとの間の通信を開始する。こここで、前記ページングメッセージは、前記移動局が前記ページングメッセージの受信に応答して前記外部ネットワークとの間の通信を開始するタイミングを規定する第１の情報を含む。【００１７】
第５の態様は、ページング方法を含む。当該ページング方法は、移動局をページングする際に、前記移動局が前記ページングメッセージの受信に応答して外部ネットワークとの間の通信を開始するタイミングを規定する第１の情報を含むページングメッセージを送信することを含む。【００１８】
第６の態様は、移動局によるページングメッセージの処理方法を含む。当該方法は、基地局からダウンリンクチャネルにおいて送信されるページングメッセージに応答して外部ネットワークとの間の通信を開始することを含む。ここで、前記ページングメッセージは、前記移動局が前記ページングメッセージの受信に応答して前記外部ネットワークとの間の通信を開始するタイミングを規定する第１の情報を含む。【００１９】
第７の態様は、上述した第５の態様に係る方法をコンピュータに行わせるためのプログラムを含む。【００２０】
第８の態様は、上述した第６の態様に係る方法をコンピュータに行わせるためのプログラムを含む。
【発明の効果】
【００２１】
上述した各態様によれば、待ち受け状態の移動局が外部ネットワークとの間の通信を開始するタイミングを制御可能とした無線通信システム、並びにこの無線通信システムで利用される基地局、制御ノード、移動局、方法、及びプログラムを提供できる。
【図面の簡単な説明】
【００２２】
【図１】実施の形態１に係る無線通信システムの構成例を示すブロック図である。
【図２】図１に示した基地局（eNoneB）の構成例を示すブロック図である。
【図３】図１に示した移動局（UE）の構成例を示すブロック図である。
【図４】図１に示した移動管理ノード（MME）の構成例を示すブロック図である。
【図５】図１に示した無線通信システムにおけるページング手順の具体例を示すシーケンス図である。
【図６】実施の形態１におけるページングメッセージの具体例を示す図である。
【図７】図１に示した移動局（UE）によるページングメッセージの処理方法の具体例を示すフローチャートである。
【図８】実施の形態２に係る無線通信システムにおけるページング手順の具体例を示すシーケンス図である。
【図９】実施の形態２におけるページングメッセージの具体例を示す図である。
【図１０】実施の形態３におけるページングメッセージの具体例を示す図である。
【図１１】実施の形態３に係る移動局（UE）によるページングメッセージの処理方法の具体例を示すフローチャートである。
【図１２】実施の形態４におけるページングメッセージの具体例を示す図である。
【図１３】実施の形態４に係る移動局（UE）によるページングメッセージの処理方法の具体例を示すフローチャートである。
【図１４】実施の形態５におけるページングメッセージの具体例を示す図である。
【図１５】実施の形態５に係る移動局（UE）によるページングメッセージの処理方法の具体例を示すフローチャートである。
【発明を実施するための形態】
【００２３】
以下では、具体的な実施の形態について、図面を参照しながら詳細に説明する。各図面において、同一又は対応する要素には同一の符号が付されており、説明の明確化のため、必要に応じて重複説明は省略される。
【００２４】
＜実施の形態１＞
図１は、本実施の形態に係る移動通信システム１の構成例を示すブロック図である。なお、本実施形態では、無線通信システム１がＬＴＥ方式の無線通信システムであるものとして説明を行う。
【００２５】
移動通信システム１は、上位ネットワーク１０及び移動局２００を含む。上位ネットワーク１０は、主に移動通信サービスを提供するオペレータにより管理されるネットワークである。ＬＴＥでは、移動局２００は、ＵＥ（User Equipment）と呼ばれる。移動局２００は、無線アクセス技術を用いて上位ネットワーク１０に接続する。
【００２６】
上位ネットワーク１０は、移動局２００と外部ネットワーク９との間で転送されるユーザーデータを中継する機能を有する。ＬＴＥでは、外部ネットワーク９は、ＰＤＮ（Packet Data Network）と呼ばれる。上位ネットワーク１０は、移動局２００に関する無線リソース管理、モビリティ管理、及びベアラ管理などを行う。具体的には、上位ネットワーク１０は、図１に示されているように、基地局１００及びコアネットワーク１１を含む。
【００２７】
基地局１００は、無線アクセス技術により移動局２００と接続し、移動局２００とコアネットワーク１１との間でユーザーデータを中継する。ＬＴＥでは、基地局１００は、eNodeB(Evolved NodeB)と呼ばれ、移動局２００の無線リソース管理、ハンドオーバー制御、無線リソースのスケジューリング等を行う。
【００２８】
コアネットワーク１１は、３ＧＰＰで規定されたパケット交換ネットワーク（ＥＰＣ（Evolved Packet Core））に相当する。コアネットワーク１１は、移動管理ノード３００並びに転送ノード３００及び４００を含む。移動管理ノード３００は、移動局２００のモビリティ管理、及び移動局と２００と外部ネットワーク９との間で転送されるユーザーデータの通信経路（ベアラ）の設定処理等を行う制御ノードである。移動管理ノード３００は、これらの制御に必要なシグナリングを基地局１００及び転送ノード２００との間で行う。ＬＴＥでは、移動管理ノード３００は、ＭＭＥ（Mobility Management Entity）と呼ばれる。
【００２９】
転送ノード４００及び５００は、基地局１００と外部ネットワーク９との間でユーザーデータを中継する。転送ノード４００は、基地局１００とコアネットワーク１１との間におけるユーザーデータの転送機能（ルーティング及びフォワーディング）を提供する。一方、転送ノード５００は、外部ネットワーク９とコアネットワーク１１との間におけるユーザーデータの転送機能（ルーティング及びフォワーディング）を提供する。ＬＴＥでは、転送ノード４００はＳ−ＧＷ（Serving Gateway）と呼ばれ、転送ノード５００はＰ−ＧＷ（Packet Data Network Gateway）と呼ばれる。
【００３０】
さらに、図１に示した上位ネットワーク１０は、待ち受け状態の移動局２００をページングするためにページングメッセージを送信する。ＬＴＥの場合、ページングメッセージは、ＰＤＳＣＨ（Physical Downlink Shared Channel）において伝送されるＰＣＨ（Paging Channel）の中に含まれる。本実施の形態では、ページングメッセージは、移動局２００がページングメッセージの受信に応答して外部ネットワーク９との間の通信を開始するタイミングを規定するためのタイミング情報（第１の情報）を含む。移動局２００は、外部ネットワーク９との間の通信を行うためのシグナリング（i.e. サービス要求）の実行をタイミング情報に基づいて遅延させる。言い換えると、移動局２００は、外部ネットワーク９との間の通信を行うためのシグナリングをページングメッセージの受信に応答して直ちに開始するのではなく、タイミング情報によって規定されるまで待機した後に開始する。
【００３１】
ページングメッセージに含まれるタイミング情報は、移動局２００がページングメッセージの受信に応答して外部ネットワーク９との間の通信を開始するタイミングを規定できればよい。例えば、タイミング情報は、移動局２００がページングメッセージを受信してからシグナリング（サービス要求）を開始するまでの「送信待ち時間」を特定可能な情報とすればよい。また、タイミング情報は、移動局２００がシグナリング（サービス要求）を開始することが許可される「送信開始時刻」を特定可能な情報としてもよい。
【００３２】
すなわち、本実施の形態に係る無線通信システム１では、上位ネットワーク１０がタイミング情報の内容を調整することによって、待ち受け状態の移動局２００（e.g. Ｍ２Ｍネットワークに関する機械及びセンサ）が外部ネットワーク（e.g. Ｍ２Ｍネットワークの監視システム）との間の通信を開始するタイミングを、上位ネットワーク１０側で制御することができる。これにより、Ｍ２Ｍネットワークを無線通信システムに収容する利用形態においても、無線通信システム１のネットワーク負荷の平滑化が容易となる。
【００３３】
タイミング情報の内容、つまり移動局２００が外部ネットワークとの間の通信を開始するタイミング（i.e. サービス要求のためのシグナリングの開始タイミング）は、オペレータの操作に基づくＯＡＭ（Operation Administration and Maintenance）システム（不図示）からの指示によって決定されてもよい。例えば、オペレータは、Ｍ２Ｍネットワークで使用される多数の移動局２００の通信開始タイミングが分散されるように各移動局に対するタイミング情報の内容を決定し、ＯＡＭシステム介して移動管理ノード３００に通知すればよい。
【００３４】
また、移動管理ノード３００は、ページング要求の発生状況に応じて、タイミング情報の内容を動的に決定してもよい。例えば、移動管理ノード３００は、多数の移動局２００に対するページング要求が予め定められた基準を超えて集中した場合に、移動局２００の通信開始タイミングが分散されるように、各移動局に対するタイミング情報の内容を動的に決定すればよい。
【００３５】
なお、一般的に行われているページングは、移動局２００宛ての下りデータが外部ネットワーク９からコアネットワーク１１に到着したことに応じて行われる。この一般的なページングと同様に、本実施の形態で説明されるタイミング情報を含むページングメッセージの送信は、移動局２００宛ての下りデータのコアネットワーク１１への到着を契機として行われてもよい。この場合でも、ページングに応答した移動局２００の通信開始タイミングを上位ネットワーク１０側で制御することができる。
【００３６】
さらに、本実施の形態における移動局２００のページングは、移動局２００に転送すべき下りデータが外部ネットワーク９からコアネットワーク１１に到着したことを条件とすることなく行われてもよい。言い換えると、本実施の形態における移動局２００のページングは、移動局２００と外部ネットワーク９との間の通信を上位ネットワーク１０から自発的に起動するために行われてもよい。このようにすれば、外部ネットワーク９に配置された移動局２００の通信相手（e.g. Ｍ２Ｍネットワークの監視システム）は、移動局２００との通信を起動するためのデータ送信を行う必要がなくなる。また、外部ネットワーク９から到着したデータを移動局２００に送信できないことに対処するための例外的な処理も必要ない。
【００３７】
なお、上位ネットワーク１０は、自発的なページングだけでなく、外部ネットワーク９からのデータ着信に応じた通常のページングを併せて行ってもよい。例えば、外部ネットワーク９からのデータ着信に基づく通常のページングメッセージと本実施の形態で説明される自発的なページングメッセージとは、メッセージ種別等によって区別するとよい。
【００３８】
続いて以下では、無線通信システム１における移動局２００のページングの詳細について説明する。ページングに関与する基地局１００、移動局２００、移動管理ノード３００の構成例について始めに説明し、その後、ページング手順について具体的に説明する。
【００３９】
図２は、基地局１００の構成例を示すブロック図である。なお、図２は、本実施の形態に係るページング手順の説明に関係する主要な構成要素についてのみ示している。無線通信部１０１は、複数のダウンリンクチャネル（物理チャネル）を含むダウンリンク信号を無線送信し、移動局２００から複数のアップリンクチャネルを含むアップリンク信号を受信する。複数のダウンリンクチャネルは、ページングメッセージを送信するダウンチャネルを含む。つまり、無線通信部１０１は、移動局２００をページングするために、ページングメッセージをダウンリンクチャネルにおいて無線送信する。
【００４０】
コア側インタフェース１０２は、コアネットワーク１１に配置されている移動管理ノード３００及び転送ノード４００との通信に利用されるインタフェースである。つまり、インタフェース１０２は、ページング要求の受信を含む移動管理ノード３００との間の制御メッセージの送受信に使用される。
【００４１】
図３は、移動局２００の構成例を示すブロック図である。図３は、本実施の形態に係るページング手順の説明に関係する主要な構成要素についてのみ示している。無線通信部２０１は、複数のダウンリンクチャネル（物理チャネル）を含むダウンリンク信号を基地局１００から受信する。また、無線通信部２０１は、複数のアップリンクチャネルを含むアップリンク信号を基地局１００に送信する。
【００４２】
通信制御部２０２は、無線通信部２０１を介して、基地局１００からダウンリンクチャネルにおいて送信されるページングメッセージを受信する。さらに、通信制御部２０２は、自局宛てのページングメッセージに応答して外部ネットワーク９との間の通信を開始するよう無線通信部２０１を制御する。なお、通信制御部２０２は、自局宛てのページングメッセージがタイミング情報を含む場合、外部ネットワーク９との間の通信を行うためのシグナリング（サービス要求の送信）の実行をタイミング情報に従って遅延させる。言い換えると、通信制御部２０２は、ページングメッセージを受信してから外部ネットワーク９との間の通信を行うためのシグナリングを開始するまでの待ち時間をタイミング情報に基づいて変更する。
【００４３】
図４は、移動管理ノード３００の構成例を示すブロック図である。図４は、本実施の形態に係るページング手順の説明に関係する主要な構成要素についてのみ示している。インタフェース３０１は、基地局１００との間の制御信号の送受信（シグナリング）に利用可能な通信インタフェースである。制御部３０２は、インタフェース３０１を介して、移動局２００のページングを基地局１００に要求する。基地局１００に送られるページング要求は、移動局２００がページングメッセージの受信に応答して外部ネットワーク９との間の通信を開始するタイミングを規定するためのタイミング情報を含む。
【００４４】
なお、既に述べたように、基地局１００へのページング要求は、移動局２００に送信すべき下りデータが外部ネットワーク９からコアネットワーク１０に到着したことを契機として行われてもよい。この場合、制御部３０２は、一般的なページングと同様に、転送ノード３００からの通知（下りデータの到着通知）に応じて基地局１００に対するページングを行えばよい。
【００４５】
また、制御部３０２は、コアネットワーク１０への下りデータの到着に関わらず、基地局１００へのページング要求を自発的に行ってもよい。この場合、制御部３０２による自発的なページング要求は、予め移動管理ノード３００に設定されたタイミングで実行されてもよい。また、制御部３０２による自発的なページング要求は、ＯＡＭ（Operation Administration and Maintenance）システム（不図示）からのオペレータの操作に基づく指示に応じて行われてもよい。
【００４６】
図５は、本実施の形態におけるページング手順を示すシーケンス図である。ステップＳ１１では、移動管理ノード（ＭＭＥ）３００は、基地局（ｅＮｏｄｅＢ）１００に対してページング要求を送信する。このページング要求は、移動局２００を特定するための識別子（ＵＥ ＩＤ）およびタイミング情報を含む。ＵＥ ＩＤは、ページングの対象である移動局２００を特定できればよいので、通常のページングと同様の識別子を用いればよい。例えば、ＵＥ ＩＤは、Ｍ−ＴＭＳＩ、ＧＵＴＩ（Globally Unique Temporary ID）、又はＩＭＳＩ（International Mobile Subscriber Identity）とすればよい。
【００４７】
ステップＳ１２では、基地局１００は、移動管理ノード３００からのページング要求の受信に応じて、移動局２００を指定したページングメッセージをダウンリンクチャネルにおいて送信する。このページングメッセージは、移動局２００を特定するための識別子（ＵＥ ＩＤ）およびタイミング情報を含む。本実施の形態のページングメッセージの構成例を図６に示す。図６の例は、ＵＥ ＩＤ及びタイミング情報に加えてエリアＩＤを含む。エリアＩＤは、ページングが行われるエリア（ＬＴＥではＭＭＥ配下の全てのトラッキングエリア）を特定可能な情報である。エリアＩＤは、例えば、移動管理ノード３００の識別子（ＧＵＭＭＥＩ（Globally Unique MME Identifier））である。
【００４８】
ステップＳ１３では、移動局２００は、ページングメッセージを受信する。そして、移動局２００は、ページングメッセージに含まれているＵＥ ＩＤが自局に割り当てられたＵＥ ＩＤと一致する場合に、ページングメッセージに含まれているタイミング情報を参照し、外部ネットワーク９との間の通信を行うためのシグナリング（サービス要求の送信）の実行をタイミング情報に従って遅延させる。
【００４９】
ステップＳ１４では、移動局２００は、外部ネットワーク９との間の通信を行うためのシグナリング（サービス要求の送信）を開始する。このサービス要求に応じて、移動局２００、基地局１００、移動管理ノード３００、及び転送ノード４００（不図示）の間でサービス要求手順が開始される。なお、サービス要求手順は、3GPP TS 23.401 V9.9.0の5.3.4.3章 "Network Triggered Service Request"に規定されているのと同様である。すなわち、移動局２００は、移動局２００から自発的にサービス要求を行う場合と同様の手順（i.e. NAS message Service Requestの送信）によって、外部ネットワーク９との通信を行うためのシグナリングを開始すればよい。
【００５０】
図７は、移動局２００によるページングメッセージの処理手順の具体例を示すフローチャートである。ステップＳ２１では、通信制御部２０２は、無線通信部２０１を介してページングメッセージを受信する。ステップＳ２２では、通信制御部２０２は、自局宛てのページングメッセージに含まれるタイミング情報に基づいて、外部ネットワーク９との通信を開始するためのシグナリング、つまりサービス要求手順の開始タイミングを遅延させる。ステップＳ２３では、通信制御部２０２は、タイミング情報で規定されるタイミングが到来したことを条件として、サービス要求手順を開始する。
【００５１】
上述したように、本実施の形態における移動局２００のページングでは、タイミング情報を含むページングメッセージが移動局２００に送信される。タイミング情報は、移動局２００がページングメッセージの受信に応答して外部ネットワーク９との間の通信を開始するタイミングを規定する情報である。これにより、本実施の形態では、待ち受け状態の移動局２（e.g. Ｍ２Ｍネットワークに関する機械及びセンサ）が外部ネットワーク（e.g. Ｍ２Ｍネットワークの監視システム）との間の通信を開始するタイミングを、上位ネットワーク１０側で制御することができる。
【００５２】
＜実施の形態２＞
上述した実施の形態１では、移動局２００毎にページングを行う例について説明した。本実施の形態では、複数の移動局２００を含む移動局グループを単位としてページングを行う例について説明する。本実施の形態に係る移動通信システムの構成例は、図１に示した実施の形態１の例と同様とすればよい。以下では、本実施の形態におけるシグナリング手順の具体例について図８〜１０を参照して説明する。
【００５３】
図８は、本実施の形態におけるページング手順を示すシーケンス図である。ステップＳ３１では、図５のステップＳ１１と同様に、移動管理ノード３００は、タイミング情報を含むページング要求を基地局１００に送信する。ただし、このページング要求は、移動局２００の識別子（ＵＥ ＩＤ）に代えて、移動局グループの識別子（ＵＥグループＩＤ）を含む。ＵＥグループＩＤは、移動局２００に予め与えられてもよいし、移動局２００が上位ネットワーク１０にアタッチした際に、上位ネットワーク１０から移動局２０に動的に割り当てられるものでもよい。
【００５４】
ステップＳ３２では、基地局１００は、移動管理ノード３００からのページング要求の受信に応じて、移動局２００を指定したページングメッセージをダウンリンクチャネルにおいて送信する。このページングメッセージは、ＵＥグループＩＤおよびタイミング情報を含む。本実施の形態のページングメッセージの構成例を図９に示す。
【００５５】
ステップＳ３３では、移動局２００は、ページングメッセージを受信する。そして、移動局２００は、ページングメッセージに含まれているＵＥグループＩＤが自局に割り当てられたＵＥグループＩＤと一致する場合に、ページングメッセージに含まれているタイミング情報を参照し、外部ネットワーク９との間の通信を行うためのシグナリング（サービス要求の送信）の実行をタイミング情報に従って遅延させる。
【００５６】
図８のステップＳ１４は、図５に示したステップＳ１４と同じく、通常のページングメッセージを受信した場合のサービス要求手順と同様であるため、ここでは詳細な説明を省略する。
【００５７】
上述したように、本実施の形態では、移動局グループを単位として、移動局２００の通信開始タイミングを遅延させるためのタイミング情報を含むページングを行うこととした。これにより、複数の移動局２００のページングを行う際に、ページングメッセージの信号量を削減できる。本実施の形態は、多数の移動局２００に対してページングを行う必要がある場合、例えばＭ２Ｍネットワークにおいて特に有効である。すなわち、本実施の形態は、タイミング情報によって多数の移動局２００の通信開始タイミングを分散させることに加えて、移動局グループ単位でのページングをおこうことによって多数の移動局２００のページングに要する信号量を削減できるため、無線通信システム１のネットワーク負荷の平滑化が更に容易になる。
【００５８】
＜実施の形態３＞
本実施の形態では、実施の形態１及び２で述べたタイミング情報の具体例について説明する。本実施の形態に係る移動通信システムの構成例は、図１に示した実施の形態１の例と同様とすればよい。また、本実施の形態におけるシグナリング手順の具体例は、図５又は図８に示したシーケンス図と同様とすればよい。
【００５９】
図１０は、本実施の形態のページングメッセージの構成例を示している。なお、移動局２００毎のページングが行われる場合には、図１０に示されたＵＥグループＩＤは、ＵＥ ＩＤとしてもよい。図１０に示すように、本実施の形態ではタイミング情報として"送信待ち時間"を用いる。本実施の形態の送信待ち時間は、自局宛てのページングメッセーを受信してから外部ネットワーク９との間の通信を行うためのシグナリング（サービス要求）を実行するまでの時間として定義される。また、後述するように、送信待ち時間は、移動局２０に対して課される"最大の"待ち時間として定義されてもよい。送信待ち時間は、ページングメッセージ内において、予め定められた単位時間（１００ミリ秒、３０秒、５分など）の倍数として示されてもよい。
【００６０】
図１１は、本実施の形態の移動局２００によるページングメッセージの処理手順の具体例を示すフローチャートである。図１１は、図７に示したフローチャートのステップＳ２２、すなわち"サービス要求手順の遅延処理"の具体例を示している。ここでは、送信待ち時間は、移動局２０に対して課される"最大の"待ち時間として定義されている。このため、ステップＳ４１では、通信制御部２０２は、ページングメッセージに含まれている送信待ち時間情報（最大の待ち時間）をもとに、実際に適用する送信待ち時間を計算する。例えば、通信制御部２０２は、最大待ち時間の範囲内で実際に適用する送信待ち時間をランダムに決定してもよい。
【００６１】
ステップＳ４２では、通信制御部２０２は、実際に適用する送信待ち時間にセットされたタイマーを起動する。ステップＳ４３では、通信制御部２０２は、タイマー終了までの間、移動局２００を契機とする通信（アップリンク送信）をブロックする。すなわち、タイマー終了までの間は、アップリンク送信を受け付けないようにブロック動作を行う。なお、ステップＳ４３では、通信制御部２０２は、タイマー終了までの間に発生した送信データをバッファリングするよう移動局２００を制御してもよい。
【００６２】
ステップＳ４４では、通信制御部２０２は、タイマー終了に応じて遅延処理を完了する。ステップＳ４４の後、通信制御部２０２は、図７のステップＳ２３に示されているようにサービス要求手順を開始する。つまり、通信制御部２０２は、タイミング情報に基づいて決定された送信待ち時間を経過したことを条件として、外部ネットワーク９との間の通信のためのシグナリングを実行する。
【００６３】
＜実施の形態４＞
本実施の形態では、実施の形態１及び２で述べたタイミング情報の他の具体例について説明する。本実施の形態に係る移動通信システムの構成例は、図１に示した実施の形態１の例と同様とすればよい。また、本実施の形態におけるシグナリング手順の具体例は、図５又は図８に示したシーケンス図と同様とすればよい。
【００６４】
図１２は、本実施の形態のページングメッセージの構成例を示している。なお、移動局２００毎のページングが行われる場合には、図１２に示されたＵＥグループＩＤは、ＵＥ ＩＤとしてもよい。図１２に示すように、本実施の形態ではタイミング情報として"送信開始時刻"を用いる。本実施の形態の送信開始時刻は、外部ネットワーク９との間の通信を行うためのシグナリング（サービス要求）の開始が許可される時間として定義される。例えば、送信開始時刻は、「午前１時００分」のように具体的な時刻を指定する。送信開始時刻は、ページングメッセージ内において、予め定められた単位時間（１００ミリ秒、３０秒、５分など）の倍数として示されてもよい。
【００６５】
図１１は、本実施の形態の移動局２００によるページングメッセージの処理手順の具体例を示すフローチャートである。図１１は、図７に示したフローチャートのステップＳ２２、すなわち"サービス要求手順の遅延処理"の具体例を示している。ステップＳ５１では、通信制御部２０２は、ページングメッセージに含まれている送信開始時刻を取得する。
【００６６】
ステップＳ５２では、通信制御部２０２は、送信開始時刻の到来を計測できるようにセットされたタイマーを起動する。図１３のステップ４３及び４４は、図１１に示したステップＳ４３及び４４と同様である。ステップＳ４４の後、通信制御部２０２は、図７のステップＳ２３に示されているようにサービス要求手順を開始する。つまり、通信制御部２０２は、送信開始時刻が到来したことを条件として外部ネットワーク９との間の通信のためのシグナリングを実行する。
【００６７】
＜実施の形態５＞
本実施の形態では、上述した実施の形態１〜４の更なる変形について説明する。本実施の形態に係る移動通信システムの構成例は、図１に示した実施の形態１の例と同様とすればよい。また、本実施の形態におけるシグナリング手順の具体例は、図５又は図８に示したシーケンス図と同様とすればよい。
【００６８】
図１４は、本実施の形態のページングメッセージの構成例を示している。本実施の形態のページングメッセージは、移動局２００が通信を行うべき外部ネットワーク９に対応付けられたアクセスポイント識別子（ＡＰ ＩＤ）をさらに含む。ＬＴＥの場合、外部ネットワーク９と対応付けられたＡＰＮ（Access Point Name）をＡＰ ＩＤとして用いればよい。
【００６９】
本実施の形態の移動局２００（通信制御部２０２）は、タイミング情報に基づく遅延処理後に実行されるシグナリング（サービス要求）において、ページングメッセージに含まれているＡＰ ＩＤに対応する外部ネットワーク９との接続（i.e. ＰＤＮコネクション）を要求する。ＰＤＮコネクションは、移動局２００のＩＰアドレスとＡＰＮで表される外部ネットワーク９の間の接続関係を意味する。ＰＤＮコネクションを要求された上位ネットワーク１０は、移動局２００と転送ノード５００との間にデフォルトＥＰＳ（Evolved Packet System）ベアラを含む少なくとも１つのＥＰＳベアラを設定する。
【００７０】
なお、移動局２００が複数のＰＤＮコネクションを同時に保持する機能をサポートしている場合、移動局２００は、ページングメッセージで指定されたＡＰ ＩＤに対する追加のＰＤＮコネクションを移動管理ノード３００に対して要求すればよい。一方、この機能をサポートしていない場合、移動局２００は、現在のＰＤＮコネクションの切断を移動管理ノード３００に要求した後に、ページングメッセージで指定されたＡＰ ＩＤに対する追加のＰＤＮコネクションを移動管理ノード３００に対して要求すればよい。
【００７１】
図１５は、本実施の形態の移動局２００によるページングメッセージの処理手順の具体例を示すフローチャートである。ステップＳ６１では、通信制御部２０２は、無線通信部２０１を介して、外部ネットワーク（ＰＤＮ）情報、つまりＡＰ ＩＤを含むページングメッセージを受信する。ステップＳ６２では、通信制御部２０２は、自局宛てのページングメッセージに含まれるタイミング情報に基づいて、外部ネットワーク９との通信を開始するためのシグナリング、つまりサービス要求手順の開始タイミングを遅延させる。
【００７２】
通信制御部２０２は、タイミング情報で規定されるタイミングが到来したことを条件として、ステップＳ６３〜６６に従ってサービス要求手順を開始する。ステップＳ６３では、通信制御部２０２は、現在の外部ネットワーク（ＰＤＮ）とページングメッセージで指定された新たな外部ネットワーク（ＰＤＮ）が同一であるかを判定する。これらが同一であれば（ステップＳ６３でＹＥＳ）、通信制御部２０２は、現在の外部ネットワークに対してサービス要求手順を開始する（ステップＳ６４）。
【００７３】
一方、これらが同一でない場合（ステップＳ６３でＮＯ）、通信制御部２０２は、新たな外部ネットワークへの接続（新たなＰＤＮコネクション）を要求するシグナリングを行う（ステップＳ６５）。なお、移動局２００が複数のＰＤＮコネクションを同時に保持する機能をサポートしていない場合、通信制御部２０２は、ステップＳ６５の前に現在の外部ネットワークとのＰＤＮコネクションの切断を要求するシグナリングを行う。ステップＳ６６では、通信制御部２０２は、ページングメッセージで指定された新たな外部ネットワークに対してサービス要求手順を開始する。
【００７４】
上述したように、本実施の形態では、ページングメッセージを用いて移動局２００が通信を行う外部ネットワークを指定できるようにした。これにより、本実施の形態は、移動局２００が通信を行う外部ネットワークの切り替えを速やかに行うことができる。また、移動局２００は、ページングメッセージを受信してからタイミング情報で特定される時刻までの間に、このページングメッセージを受信したときとは異なる外部ネットワークとの通信を行うことが考えられる。このような場合にも、本実施の形態の移動局２００は、過去にページングメセージを受信したときの外部ネットワーク９への接続を確実に行うことができる。
【００７５】
＜その他の実施の形態＞
上述した実施の形態１〜５では、ＬＴＥ方式の無線通信システムに関して説明した。しかしながら、これらの実施の形態の適用先は、ＬＴＥ方式の無線通信システムに限定されるものではない。つまり、これらの実施の形態は、移動局に対するページングを行う多元接続方式の無線通信システムに対して広く適用可能である。例えば、ＷＣＤＭＡ方式の場合、実施の形態１〜５で説明したＰ−ＧＷ５００はＧＧＳＮ（Gateway GPRS Support Node）に対応し、Ｓ−ＧＷ４００及びＭＭＥ３００はＳＧＳＮ（Serving GPRS Support Node）に対応し、基地局（NodeB）１００はＲＮＣ（Radio Network Controller）及びＮｏｄｅＢに対応する。ＷＣＤＭＡ方式の場合、ＳＧＳＮがＲＮＣに対してページング要求を送信する。ＲＮＣは、ＳＧＳＮからのページング要求の受信に応じて、移動局２００を指定したページングメッセージを含むダウンリンクチャネルの送信を基地局（ＮｏｄｅB）に要求する。基地局（ＮｏｄｅB）は、ＲＮＣの要求に応じてページングメッセージを含むダウンリンクチャネルを送信する。
【００７６】
実施の形態１〜５で説明したページングに関する基地局１００、移動局２００、及び移動管理ノード３００の処理は、処理は、マイクロプロセッサ、ＤＳＰ（Digital Signal Processor）等のコンピュータにプログラムを実行させることによって実現してもよい。具体的には、図５、７、８、１１、１３、及び１５のシーケンス図及びフローチャートを用いて説明した各装置のアルゴリズムをコンピュータに行わせるための命令群を含むプログラムを作成し、当該プログラムをコンピュータに供給すればよい。
【００７７】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７８】
また、実施の形態１〜５は、適宜組み合わせることも可能である。さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００７９】
この出願は、２０１１年７月２５日に出願された日本出願特願２０１１−１６２４１２を基礎とする優先権を主張し、その開示の全てをここに取り込む。
【符号の説明】
【００８０】
１  移動通信システム
１０  上位ネットワーク
１１  コアネットワーク
９  外部ネットワーク
１００  基地局（eNodeB）
１０１  無線通信部
１０２  コア側インタフェース
２００  移動局（User Equipment（UE）） 
２０１  無線通信部
２０２  通信制御部
３００  移動管理ノード（Mobility Management Entity（MME））
３０１  インタフェース
３０２  制御部
４００  転送ノード（Serving Gateway（S-GW））
５００  転送ノード（Packet Data Network Gateway（P-GW））
【図１】
2013014847.tif 000003
【図２】
2013014847.tif 000004
【図３】
2013014847.tif 000005
【図４】
2013014847.tif 000006
【図５】
2013014847.tif 000007
【図６】
2013014847.tif 000008
【図７】
2013014847.tif 000009
【図８】
2013014847.tif 000010
【図９】
2013014847.tif 000011
【図１０】
2013014847.tif 000012
【図１１】
2013014847.tif 000013
【図１２】
2013014847.tif 000014
【図１３】
2013014847.tif 000015
【図１４】
2013014847.tif 000016
【図１５】
2013014847.tif 000017
【手続補正書】
【提出日】平成26年1月10日(2014.1.10)
【手続補正２】
【補正対象書類名】特許請求の範囲
【補正対象項目名】請求項３３
【補正方法】変更
【補正の内容】
【請求項３３】
移動局をページングする際に、前記移動局がページングメッセージの受信に応答して外部ネットワークとの間の通信を開始するタイミングを規定する第１の情報を含む前記ページングメッセージを送信すること、
を備えるページング方法。
【手続補正３】
【補正対象書類名】特許請求の範囲
【補正対象項目名】請求項３５
【補正方法】変更
【補正の内容】
【請求項３５】
ページングに関する制御方法をコンピュータに行わせるためのプログラムであって、
前記方法は、移動局をページングする際に、前記移動局がページングメッセージの受信に応答して外部ネットワークとの間の通信を開始するタイミングを規定する第１の情報を含む前記ページングメッセージを送信するよう制御することを含む、
プログラム。
【手続補正４】
【補正対象書類名】特許請求の範囲
【補正対象項目名】請求項３６
【補正方法】変更
【補正の内容】
【請求項３６】
移動局によるページングメッセージの処理方法をコンピュータに行わせるためのプログラムであって、
前記方法は、基地局からダウンリンクチャネルにおいて送信されるページングメッセージに応答して外部ネットワークとの間の通信を開始することを含み、
前記ページングメッセージは、前記移動局が前記ページングメッセージの受信に応答して前記外部ネットワークとの間の通信を開始するタイミングを規定する第１の情報を含む、
プログラム。
【国際調査報告】
2013014847.tif 000018
2013014847.tif 000019